(57)【特許請求の範囲】
【請求項１】
少なくとも第１の薬剤と第２の薬剤との間で発熱反応を起こさせて、該発熱反応を土壌と接触した状態で生じさせ、病原生物及び有害生物の駆除を達成する又は該駆除に貢献し、耕地のうちの栽培される作物が育てられる領域のみが処理を受けることを特徴とする農作物の病原生物及び有害生物を駆除するための方法。
【請求項２】
前記第１の薬剤及び前記第２の薬剤が、処理を受ける土壌と接触した状態で配置される前に、相互に接触した状態にされることを特徴とする、請求項１に記載の農作物の病原生物及び有害生物を駆除するための方法。
【請求項３】
先ず、第２の薬剤が前記土壌に散布され、その後、前記第１の薬剤及び前記第２の薬剤の混合物が前記土壌自体に噴射されることを特徴とする、請求項２に記載の農作物の病原生物及び有害生物を駆除するための方法。
【請求項４】
前記第１の薬剤及び前記第２の薬剤が、前記土壌と接触した状態で配置された後に相互に接触することを特徴とする、請求項１に記載の農作物の病原生物及び有害生物を駆除するための方法。
【請求項５】
前記第１の薬剤及び前記第２の薬剤の両方が前記土壌に噴射されることを特徴とする、請求項２から請求項４までの何れか一項に記載の農作物の病原生物及び有害生物を駆除するための方法。
【請求項６】
前記第１の薬剤及び前記第２の薬剤が相互に異なる深さで前記土壌中に噴射されることを特徴とする、請求項４に記載の農作物の病原生物及び有害生物を駆除するための方法。
【請求項７】
反応する前記第１の薬剤及び前記第２の薬剤の少なくとも一方の噴射深さが調整可能であることを特徴とする、請求項６に記載の農作物の病原生物及び有害生物を駆除するための方法。
【請求項８】
反応する前記第１の薬剤及び前記第２の薬剤の混合物を前記土壌に噴射する前に、前記土壌が掘り起こされることを特徴とする、請求項１から請求項５までの何れか一項に記載の農作物の病原生物及び有害生物を駆除するための方法。
【請求項９】
前記第２の薬剤の前記散布と前記第１の薬剤又は前記第１の薬剤及び前記第２の薬剤の前記混合物の前記噴射との間で、前記土壌が掘り起こされることを特徴とする、請求項３に記載の農作物の病原生物及び有害生物を駆除するための方法。
【請求項１０】
前記第１の薬剤及び前記第２の薬剤の各々が前記第１の薬剤及び前記第２の薬剤のうちの他方の薬剤の単数又は複数の物質と発熱反応を起こすことができる単数又は複数の物質によって構成されていることを特徴とする、請求項１から請求項９までの何れか一項に記載の農作物の病原生物及び有害生物を駆除するための方法。
【請求項１１】
前記物質の少なくとも１つが、粉末、細粒又は小片の状態の固体物質であることを特徴とする、請求項１０に記載の農作物の病原生物及び有害生物を駆除するための方法。
【請求項１２】
前記物質の少なくとも１つが液体状態であることを特徴とする、請求項１０に記載の農作物の病原生物及び有害生物を駆除するための方法。
【請求項１３】
前記物質の少なくとも１つが気体又は蒸気状態であることを特徴とする、請求項１０に記載の農作物の病原生物及び有害生物を駆除するための方法。
【請求項１４】
前記物質の少なくとも１つが加熱された状態であることを特徴とする、請求項１０から請求項１２までの何れか１項に記載の農作物の病原生物及び有害生物を駆除するための方法。
【請求項１５】
前記第１の薬剤を構成する物質が水であり、前記第２の薬剤を構成する物質が、生石灰（ＣａＯ）、苛性ソーダ（ＮａＯＨ）、苛性カリ（ＫＯＨ）、正燐酸（Ｈ3ＰＯ4）、沸石からなる群から選択されることを特徴とする、請求項１０から請求項１４項までの何れか一項に記載の農作物の病原生物及び有害生物を駆除するための方法。
【請求項１６】
前記反応の生成物が前記土壌を肥沃化させる薬剤であることを特徴とする、請求項１から請求項１５までの一項に記載の農作物の病原生物及び有害生物を駆除するための方法。
【請求項１７】
前記発熱反応の生成物が前記土壌の酸性度を変更する薬剤であることを特徴とする、請求項１から請求項１６までの何れか一項に記載の農作物の病原生物及び有害生物を駆除するための方法。
【請求項１８】
支持フレーム（１′）と、発熱反応を起こすことができる少なくとも第１の薬剤を収容するための収容手段（７）と、前記収容手段（７）から前記第１の薬剤を処理を受ける土壌に放出するための手段へ前記第１の薬剤を送給するための手段（４）とを備えた農作物の病原生物及び有害生物を駆除するための装置であって、前記第１の薬剤と発熱を伴って反応することができる第２の薬剤のための第２収容手段（６）と、該第２収容手段から前記第２の薬剤を処理を受ける土壌に放出するための手段へ前記第２の薬剤を送給するための手段（８，９）とを備え、前記土壌を掘り起こすのに適した手段（５）が設けられ、前記第１の薬剤及び前記第２の薬剤を放出するための放出手段（３）及び前記土壌を掘り起こすのに適した手段（５）が、前記フレーム（１′）において、耕地のうちの栽培される作物が育てられる細長い領域のみに処理を受けさせるような位置に配置されていることを特徴とする農作物の病原生物及び有害生物を駆除するための装置。
【請求項１９】
前記第１の薬剤を送給するための手段（４）及び前記第２の薬剤を送給するための手段（９）が、共有される放出手段（３）へ前記第１の薬剤及び前記第２の薬剤を送出することを特徴とする、請求項１８に記載の農作物の病原生物及び有害生物を駆除するための装置。
【請求項２０】
前記第２の薬剤を送給するための手段（８）が、前記装置の進行方向に前記放出手段（３）の放出領域の上流側で、前記第２の薬剤を放出することを特徴する、請求項１９に記載の農作物の病原生物及び有害生物を駆除するための装置。
【請求項２１】
前記第１の薬剤を送給するための手段（４′）及び前記第２の薬剤を送給するための手段（９′）が前記第１の薬剤及び前記第２の薬剤をそれぞれ異なる放出手段（３′及び５′）へ送出することを特徴とする、請求項１８に記載の農作物の病原生物及び有害生物を駆除するための装置。
【請求項２２】
発熱を伴って互いと反応することができる前記第１の薬剤及び前記第２の薬剤の少なくとも一方を加熱するための手段（２）が設けられることを特徴とする、請求項１８から請求項２１までの何れか一項に記載の農作物の病原生物及び有害生物を駆除するための装置。
【請求項２３】
上流側に位置する前記第２の薬剤を送給するための手段（８）と前記放出手段（３）との間に、前記土壌を掘り起こすのに適した手段（５）が配置されていることを特徴とする、請求項１８から請求項２２までの何れか一項に記載の農作物の病原生物及び有害生物を駆除するための装置。
【請求項２４】
前記第１の薬剤及び前記第２の薬剤を放出するための前記放出手段（３，３′，５′）が、前記薬剤を前記土壌自体に噴射するために、前記土壌中に挿入されることを特徴とする、請求項１８から請求項２３までの何れか一項に記載の農作物の病原生物及び有害生物を駆除するための装置。
【請求項２５】
前記第１の薬剤を噴射するための手段（３′）及び前記第２の薬剤を噴射するための手段（５′）が相互に異なる深さまで前記土壌へ延びていることを特徴とする、請求項２４に記載の農作物の病原生物及び有害生物を駆除するための装置。
【請求項２６】
前記第１の薬剤を噴射するための手段又は前記第２の薬剤を噴射するための手段の少なくとも一方の噴射深さを調整するための手段（１４）が設けられることを特徴とする、請求項２５に記載の農作物の病原生物及び有害生物を駆除するための装置。
【請求項２７】
前記第１の薬剤及び前記第２の薬剤を前記土壌に噴射するための手段（３，３′）の上流側の前記土壌を掘り起こすのに適した手段（５，５′）が設けられることを特徴とする、請求項１８から請求項２６までの何れか一項に記載の農作物の病原生物及び有害生物を駆除するための装置。
【発明の詳細な説明】
【０００１】
技術分野
本発明は、農作物の病原生物及び有害生物を駆除するための方法及び装置に関する。
【０００２】
背景技術
今まで、土壌の殺菌を行うためには、耕地の広さ全体に蒸気のみを噴射する機械が利用されてきた。このような公知の方法は、完全に耕地の殺菌を行うことができない点で、十分に有効ではないという欠点を呈していた。実際には、完全に最適とはいえないが十分ではある結果を得るためには、多量の蒸気を土壌に噴射する必要があり、その結果、蒸気を土壌に噴射する可動機械にかなりの量の水を供給することを要求する。したがって、このような公知の機械は、必要な水の補給を行うために頻繁に停止することを必要とする。その結果、過多な蒸気を消費することに加えて、このような公知の機械の方では、結果として派生する経済的浪費が大きくなると共に作業生産性が低く指摘なる。
【０００３】
さらに、開放耕地及び苗床の両方における菜園野菜のような多数の農作物は、条植え耕作によって特徴付けられる。蒸気噴射によって土壌の病原生物を駆除するための従前の方法によれば、上記農作物の場合、病原生物の十分な駆除を行うためには、それに派生する莫大な費用の増加を伴って、かかる農作物が育てられる耕地の表面全体を処理する必要があるという考え方が広まっている。
【０００４】
また、生育期間の短いビートのような作物は除草剤や他の土壌殺菌方法の使用をあたりまえとはしないことから、このような作物の列の間の非栽培土壌を耕し掘り起こす農耕機械も公知となっている。
【０００５】
しかしながら、このような機械は、特に未耕作の土壌領域で作動させるために案出されたものであり、よって、上記の状況で遭遇する要件とは反対の要件を満たすものである。さらに、目下、列状に耕される土壌は、土壌上で繰り返し通過することを伴う複数の連続作業によって前処理を施される。
【０００６】
発明の開示
したがって、本発明の主たる目的は、これまでに達成された以上の適切な病原生物の排除をなさしめることにある。
【０００７】
本発明の総括的な態様によれば、少なくとも第１の薬剤と第２の薬剤との間で発熱反応を起こさせて、前記発熱反応を前記土壌と接触した状態で生じさせ、病原生物の駆除を達成する又は該駆除に寄与するようにした土壌の病原生物を駆除するための方法が提供される。
【０００８】
少なくとも第１の薬剤と第２の薬剤との間で土壌において発熱反応を生じさせれば、極めて少量の反応物質の使用によって、特に高い程度の殺菌を達成することを可能とさせる殺菌反応を起こすことが可能となる。土壌での発熱反応は、少なくとも、発生した高温によって構成される第１の殺菌作用と、発熱反応が土壌中に存在する生物有機体に対して与え、したがって、さらに農作物にとって病原性を有する又は有害である生物に対しても与える一種の苛性作用すなわち焼灼作用によって構成される第２の殺菌作用とを含んだ組み合わせ殺菌作用を提供する。
【０００９】
本発明の有利な態様によれば、特に、前記第１の薬剤及び前記第２の薬剤は、処理を受ける土壌と接触した状態で配置される前に、相互に接触した状態に配置される。
反応物質間でこのような接触が起こり、したがって、発熱反応が開始した後で、同反応物質が土壌と接触した状態にされ、それによって土壌の病原生物及び有害生物の駆除を達成することを可能とさせる発熱反応が生じる。
【００１０】
このような予防的な接触は、反応物質のほぼ全体を相互に接触した状態にさせることを可能とさせ、それによって、高い反応収率が得られる。相当な量の反応物質が反応に加わらないということはない。反応物質の高い収率が得られると共に、装置の作動持続時間を増加させること又は逆により小さな反応物質タンクで構成機械の同じ持続時間を維持することができ、その結果、機械のサイズ全体を減少させることができる。
【００１１】
さらに他の態様によれば、さらに、非栽培領域における浪費を伴うことなく、蒸気又は発熱反応を引き起こすことができる他の反応物質の噴射を穀物が実際に配置される土壌領域に限定するために、栽培される作物が育てられる耕地の領域、好ましくは細長い領域のみに、前述の発熱反応によって処理を受けさせるようになされる。
【００１２】
本発明によって得られる利点の１つは、殺菌を受ける単位栽培土壌当たりに必要な蒸気の量はほぼ半減されるという事実からなる。したがって、装置全体の寸法もまた、特にボイラの寸法に関して、顕著に縮小される。それにより、最良の結果が最小の費用で達成される。
【００１３】
最後に、複数の列に配置された農作物の土壌の前処理を作業機械の単一回の通過で行うことができる。
本発明は、制限するものではない単なる例として提供される実施態様を表す添付の図面を参照した以下の詳細な説明から、技術的な特徴及び異なる有利な態様においてより容易に明らかとなる。
【００１４】
例示実施態様の説明
図１から図４に示されている第１及び第２の実施態様の装置によれば、土壌の病原生物の駆除を行うために、発熱を伴って互いと反応することができる第１の薬剤及び第２の薬剤が相互に混合され、続いて、土壌自体への噴射によって土壌と接触させられる。
【００１５】
第１の薬剤は、周囲温度において液体状態で取り扱うことができる又は加熱してより高い殺菌温度の到達を容易にすることができる水によって構成され得ることが有利となる。移送する前に、上記の水を蒸気状態に到達するまで加熱することも可能である。第２の薬剤は、生石灰（ＣａＯ）、苛性ソーダ（ＮａＯＨ）、苛性カリ（ＫＯＨ）、正燐酸（Ｈ3ＰＯ4）、沸石（ゼオライト）を含む群から選択され得ることが有利となる。
【００１６】
得られた発熱反応の生成物は、土壌の酸性度を変更、中和する薬剤となる。詳細には、酸性が過度である土壌に対しては、生石灰（ＣａＯ）、苛性ソーダ（ＮａＯＨ）、苛性カリ（ＫＯＨ）が使用され、それに対して、アルカリ性が過度である土壌に対しては、正燐酸（Ｈ3ＰＯ4）が使用される。
【００１７】
詳細には、発熱を伴って水と反応することができる上記物質は、粉末や細粒や細片の形態の固体状態で取り扱われることが有利であり、これらの物質は第１の薬剤及び第２の薬剤の混合物が土壌に噴射されるより先に、土壌上に散布される。
水と発熱を伴って反応する上記固体物質を土壌において分散させることに好都合となさしめるために、土壌における分散を促すように土壌が適宜に掘り起こされる。
【００１８】
さらに他の有利な態様によれば、栽培される作物（植物）を育てる耕地の細長い領域だけが処理を受けるが、このことは以下でより容易に明らかとなる。
また、反応の生成物は土壌を肥沃にする薬剤とすることもできることが考えられ得る。さらに、殺菌段階の後に、農作物に有益な微生物を含んだ培養基を付加することも考え得る。
【００１９】
図１から図４に示されている装置は、車輪付きの可動支持フレーム１′と、この場合には水によって構成される反応物質を移送するための第１タンク７と、第１の反応物質と発熱を伴って反応する第２の反応物質のための第２タンク６とを備えている。
【００２０】
第１の物質の上記格納手段７から処理されるべき土壌へ第１の物質を移送するための手段へ上記第１の物質（反応物質）を送給するために少なくとも導管４が設けられ、上記第２の格納手段から上記第２の物質（反応物質）を処理されるべき土壌へ第２の物質を移送するための手段へ上記第２の物質を送給するための導管９が少なくとも設けられる。
【００２１】
本願に示されている実施態様によれば、第１及び第２の物質を送給するための導管４及び９は、共有される移送手段３へ向かって第１及び第２の物質を送出するが、このことはより十分に後述される。
前述の図３及び図４に示されているように、装置の進行方向に沿って、上記移送手段３によって形成される排出領域の上流側に、移送手段を形成する終端部分８′を通して上記第２の物質を排出するように、第２導管８が設けられる。
【００２２】
装置は、さらに、第１の反応物質の温度を上昇させたり第１の反応物質を気化させたりすることができるボイラ２を具備しているが、これは、多くの環境において特に効果的な反応を起こすのに、この温度上昇又は気化が有効となるからである。図３に示されているように、この装置１３をトラクタ（牽引車）又は他の自己推進手段に取り付けることが可能であるが、図４に示されているように装置１３が自律推進手段１を具備していることが好ましい。
【００２３】
図３及び図４が示しているいずれの場合においても、当該装置１３は、栽培が行われる領域すなわち単数又は複数の反応物質が噴射される同じ領域における土壌のみを耕すために、横断方向に相互に離間されて位置しているモジュール式器具（刃部）５を備える。モジュール式器具５は、本発明の装置の他の好ましい実施態様の細部に関する図６から図８に示されているように、回転式の機械的なホー（鍬）、ハロー、引裂具すなわちリッパー（又はリポインタ（ｒｅｐｏｉｎｔｅｒ））によって構成されることが可能である。
【００２４】
反応物質を土壌へ噴射する複数の噴射装置３を有したこの混成物を土壌に散布するための適宜の手段がさらに設けられる。各噴射装置３は少なくとも送給導管４によって第１タンク７に接続されており、栽培が行われる領域のみに反応物質を噴射するように一群にまとめられている。
【００２５】
反応物質を散布するために使用される同じ噴射装置３は、さらに、同時に熱を伴って反応することになる混成物を放出する仕事を果たす。この場合には、各噴射装置３は少なくとも第２の送給導管９によって第２タンク６に接続される。
噴射装置３の数は、任意であることは明らかであり、殺菌がなされる土壌のタイプ、栽培のタイプ、蒸気又は他のタイプの反応物質の散布、表面下への散布に応じて決定され得る。
【００２６】
図５から図７に示されている装置の追加実施態様は、土壌に事前散布を行うための手段を使用せずに、土壌に噴射されるべき第１及び第２の薬剤の両方を供給している。
特定の構造上の要件又は使用される器具５に従って、噴射装置３は、（図５のごとく）互い独立して取り付けられたり、（図６のごとく）同じ支持体上に取り付けられたりすることができ、（図７のごとく）器具５自体と一体的に形成されることさえも可能である。
【００２７】
図５から図７に示されている実施態様では、土壌を掘り起こし動かすことのできる手段５は、第１及び第２の物質を土壌に噴射するための手段３の上流側に設けられている。
装置１３は、シート１２を処理された土壌上に敷設するための装置１１をさらに備えており、それによって、いわゆるマルチング処理を成し遂げ、当該場合には、このマルチング処理は主として熱放散を制限すること並びに各側の土壌の耕された部分を保護しその部分を完全に隔離するという従来の目的に向けたものである。
【００２８】
続く図８を参照すると、本発明のさらに他の実施態様に従って、第１の物質を送給するための手段９′及び第２の物質を送給するための手段４′を設けることができ、これら手段９′及び４′はそれぞれ放出手段５′及び３′へ向かって第１及び第２の物質を送出していることが注記され得る。このような第１の物質を噴射するための手段５′及び第２の物質を噴射するための手段３′は土壌中へ異なる深さまで延びている。噴射深さを調整するための手段がさらに設けられており、該噴射深さを調整するための手段は、例えば、第２の物質を送給するための導管４における装置のフレームに取り付けられた剛性部分４′の先端にあるネジ山部１４を備え、このネジ山部１４に各ネジ１５によって第２の物質を土壌に放出するための流出口部分３′がネジ式に取り付けられる。この場合には土壌を掘り起こし動かす手段５′を備えた第１の物質を噴射するための手段上に類似の調整手段を設けることも発想し得るであろう。
【００２９】
図９は本発明の方法を実現する装置の実施態様を示しており、図中においては、任意の適したタイプのものとすることができるブロック（区画）２０によって略図で示されている適宜の手段によって土壌が除去され、本発明による発熱反応によってブロック２１において処理されている。
【００３０】
土壌を処理するための手段２１は、好ましくは、土壌Ｓの可動支持手段を備え、該可動支持手段は、例えば、連続コンベアバルト２２と、上方においてこのコンベアベルト２２へと延び且つ下方に位置する土壌上に第１の反応物質を散布することができる手段２３と、この土壌上に第１の反応物質と発熱を伴って反応する第２の薬剤を散布することができる手段２４とによって構成される。
【００３１】
発熱反応が起き、望ましくない生物が土壌から排除されると、土壌がブロック２６によって例示される適宜の手段によって適宜の包装又は袋２５に袋詰めされ、販売されるようにすることができる。
後者の実施態様は、処理されるべき土壌が搬送される先である固定構造物上又は可動移送手段上の少なくとも殺菌部分上において実施され得る。
【００３２】
さらに他の態様によれば、発熱を伴って反応する物質の１つを予め土壌中に存在させ、例えば、土壌を特に湿った土壌とさせてもよく、予め存在する物質と発熱を伴って反応することができる物質を放出するための手段のみを有するようにすることも発想可能である。
【００３３】
特に有利で好ましい様態によれば、蒸気が土壌に噴射され発熱反応を発生させる物質と反応させられる。このようにして、高温の蒸気によって提供される殺菌作用が発熱反応の発生によって高められ所要時間の間維持される。このような反応の組み合わせに関する実験結果によれば、この方法論によって土壌の全体的な殺菌が達成された一方、蒸気のみを使用することによってこれを達成することはできなかったことが示された。
【００３４】
さらに、第１及び第２の反応物質の各々は他の薬剤の物質と発熱反応を起こすことができる複数の物質によって構成されることも可能である。
こうして発想される本発明は、発明の概念の範囲から逸脱することなく多数の改変及び変更を受けることができる。さらに、全ての構成要素は技術的に等価な要素と置換されることができる。
【図面の簡単な説明】
【図１】  本発明の選択可能な２つの実施態様の略平面図を示している。
【図２】  本発明の選択可能な２つの実施態様の略平面図を示している。
【図３】  図１及び図２の２つの実施態様による作動中の本発明の透視側面図を示している。
【図４】  図１及び図２の２つの実施態様による作動中の本発明の透視側面図を示している。
【図５】  本発明の選択可能な構成の細部を示している。
【図６】  本発明の選択可能な構成の細部を示している。
【図７】  本発明の選択可能な構成の細部を示している。
【図８】  本発明の選択可能な構成の細部を示している。
【図９】  本発明の方法を実現する装置のさらに他の実施態様を略図で示している。
【図１】
0004195196.tif 000002
【図２】
0004195196.tif 000003
【図３】
0004195196.tif 000004
【図４】
0004195196.tif 000005
【図５】
0004195196.tif 000006
【図６】
0004195196.tif 000007
【図７】
0004195196.tif 000008
【図８】
0004195196.tif 000009
【図９】
0004195196.tif 000010